(57)【要約】【課題】掲示物と掲示面とを磁気吸着で取り付けるために用いられる介在用磁石の使用性を向上させる。【解決手段】円筒状の巻芯６に対して外面に離型処理層１０が施され内面に粘着剤層９を設けた長尺状磁石７を剥離自在に渦巻状に巻きつけた構成の介在用磁石２と、この介在用磁石２を回転自在に収納することができ、さらに長尺状磁石７の先端部を剥離させて引き出した状態で長尺状磁石７の任意の位置で切断することができる切り刃１９を備えたカッター台３とから成るカッター台付き介在用磁石１とした。カッター台３は切り刃付き部材４と受け部材５とを強制嵌合にて着脱自在に取り付ける構成となっている。なお、粘着剤層９は部分的に設けてもよく、長尺状磁石７には切断補助用の切り込みを入れても良い。【選択図】図１
0003110799.tif 000002
【実用新案登録請求の範囲】
【請求項１】
円筒状の巻芯に対して外面に離型処理層が施され内面に粘着剤層を設けた長尺状磁石を剥離自在に渦巻状に巻きつけた構成で成る介在用磁石と、該介在用磁石を着脱自在、かつ、回転自在に収納することができ、さらに上記長尺状磁石の先端部を粘着状態から剥離させて引き出した状態で該長尺状磁石の任意の位置で切断することができる切り刃を備えたカッター台とから成るカッター台付き介在用磁石
【請求項２】
介在磁石における長尺状磁石の内面に形成される粘着剤層は、スポンジ層を介在して設けられていることを特徴とする請求項１に記載のカッター台付き介在用磁石
【請求項３】
介在磁石における長尺状磁石の内面に形成される粘着剤層は、粘着部が全面に設けられること無く、部分的に連続して設けられていることを特徴とする請求項1または２のいずれかに記載のカッター台付き介在用磁石
【請求項４】
介在磁石における長尺状磁石の外面または内面の少なくとも片面側には、切断補助用の切り込みが形成されていることを特徴とする請求項１〜３のいずれかに記載のカッター台付き介在用磁石
【考案の詳細な説明】
【技術分野】
【０００１】
本考案は、非磁性体製の物品を強磁性体製の物品に取り付けたり、強磁性体の物品を非磁性体製の物品に取り付ける時に用いられる介在用磁石を、カッター台に取り付けたカッター台付き介在用磁石に関するものである。
【背景技術】
【０００２】
介在用磁石としては、長尺状磁石の一面側に接着剤層を設けると共に他面側に離型処理層を設け、この離型処理層側が外側となるようにして長尺状磁石を巻芯側に粘着させつつ巻き回して取付けるように構成されるものが、本出願人の考案による登録実用新案公報により公開されている。
【０００３】
【特許文献１】登録実用新案公報第３０５５７０６号公報（４頁１０行〜５頁２３行、図１〜図１８）
【考案の開示】
【考案が解決しようとする課題】
【０００４】
しかしながらこの技術は、介在用磁石の基本的な構成を示すことに留まっており、実使用に即した使用性の優れた製品開発が望まれていた。
そこで、本考案は介在用磁石を使い勝手の良いカッター台付き商品として完成させ、その構成を提供することを課題とする。
【課題を解決するための手段】
【０００５】
本考案は上記課題を、円筒状の巻芯に対して外面に離型処理層が施され内面に粘着剤層を設けた長尺状磁石を剥離自在に渦巻状に巻きつけた構成で成る介在用磁石と、この介在用磁石を着脱自在、かつ、回転自在に収納することができ、さらに長尺状磁石の先端部を粘着状態から剥離させて引き出した状態で長尺状磁石の任意の位置で切断することができる切り刃を備えたカッター台とから成るカッター台付き介在用磁石とすることで解消することができる。
この構成によれば、介在用磁石を必要な長さ分だけ簡単に巻きほぐして切り出すことができる。
【０００６】
なお、介在用磁石における長尺状磁石の内面に形成される粘着剤層は、スポンジ層を介在して設けられていると、粘着させる被着物に若干の凹凸があっても粘着が可能となるので好ましい。
【０００７】
また、介在用磁石における長尺状磁石の内面に形成される粘着剤層は、粘着部が全面に設けられること無く、部分的に連続して設けられているようにすると、長尺状磁石の先端部を、接合されている面から剥がしやすくなると共に、安定した接着力を維持することができる。
【０００８】
さらに、介在用磁石における長尺状磁石の外面または内面の少なくとも片面側に切断補助用の切り込みが形成されていると、長尺状磁石の切断をより簡単に行うことができる。
【考案の効果】
【０００９】
本考案によれば、介在用磁石における長尺状磁石を任意の長さで簡単に切り出すことができるので、切り出しの作業性が良い。
また、粘着部を部分的に連続して設ける態様とすれば、長尺状磁石の先端部が簡単に剥がせると共に安定した接着力を維持することができるので、貼着作業性の優れたものとなる。
【考案を実施するための最良の形態】
【００１０】
本考案は、円筒状の巻芯に対して外面に離型処理層が施され内面に粘着剤層を設けた長尺状磁石を剥離自在に渦巻状に巻きつけた構成で成る介在磁石と、この介在磁石を着脱自在、かつ、回転自在に収納することができ、さらに長尺状磁石の先端部を粘着状態から剥離させて引き出した状態で長尺状磁石の任意の位置で切断することができる切り刃を備えたカッター台とから成るカッター台付き介在用磁石を基本構成としたものであり、以下、図面に沿って詳細に説明する。
【００１１】
本考案のカッター台付き介在用磁石１は、図１の分解斜視図に表わされるように、介在用磁石２とカッター台３とで構成される。
そして、このカッター台３は、切り刃付き部材４と受け部材５とからなり、後述するように矢印方向に着脱自在に嵌合できるように構成されており、収納する介在用磁石２の交換が可能となっている。
【００１２】
介在用磁石２は、図２の斜視図に表わされるように、外径約φ３２ｍｍ、内径約φ２６ｍｍ、幅が約１９ｍｍ程度の中空穴６ａを有する紙製等で成る円筒状の巻芯６に、それと同一幅で成る長尺状磁石７を、外径が約φ７０ｍｍ程度となるよう渦巻状に巻きつけた状態に形成されている。
この長尺状磁石７は、図３（ａ）の端部拡大斜視図に示すように、磁石部８の内面に粘着剤層９を設け外面には離型処理層１０を設けた状態に形成されている。
【００１３】
そのうち、磁石部８は、フェライト系、マンガン・アルミニウム系、サマリウム・コバルト系、ネオジウム・鉄・ホウ素系、サマリウム・鉄・窒素系等の硬質磁性材料からなる磁石材料微粉末を高充填した塩素化ポリエチレン、クロロスルホン化ポリエチレン、エチレン・酢酸ビニル共重合体、アクリルゴム等の有機高分子エラストマー等の有機高分子エラストマーをシート状に成形し着磁した可撓性のマグネットシートが用いられる。
なお、厚さは磁石部８自体の磁力及び硬度、粘着剤層９の離型処理層１０に対する渦巻状に巻きつけて保持する粘着力、後述するカッター台の切り刃による切断性能等を勘案して設定されるが、０．１〜１．０ｍｍ程度が好ましい態様となる。
【００１４】
なお、粘着剤層９は被着体に長尺状磁石７を粘着させて取り付けるものであり、アクリル系、天然ゴム系、合成ゴム系等の感圧性粘着剤が使用用途に応じて選択されて用いられ、磁石部８の内面側に接着された状態で形成される。
【００１５】
また、離型処理層１０は、磁石部８の外面側に離型剤を直接塗布或いは吹き付け等を行って薄膜状に形成したり、離型剤層を有するテープ状フィルムや離型性の良い材料からなるテープ状フィルムを貼着して形成される。
この離型剤としては高融点のワックス類，シリコン油，フッ化アルキル化合物等が挙げられるが、上記粘着剤層９等が容易に粘着し、かつ、簡単に外すことができるように調整されて用いられる。
従って、図２の斜視図のように、長尺状磁石７を円筒状の巻芯６に対して渦巻状に巻きつけた状態に維持することができ、しかも矢印で示すように長尺状磁石７の先端部を粘着状態から剥離して引き出すことができる。
【００１６】
図３（ｂ）は、長尺状磁石の変形例の端部拡大斜視図を表わしたものであり、長尺状磁石７’の構成は、磁石部８’の外面側に実施例同様に離型処理層１０’が形成されるが、磁石部８’の内面側にはスポンジ層１１を介在させて粘着剤層９’が形成されるようになっている。
このスポンジ層１１は、ポリエチレンフォーム、ポリウレタンフォーム、エーテル系ポリウレタンフォーム、エステル系ポリウレタンフォーム、ネオプレンゴムフォーム等が用いられる。
なお、スポンジ層１１を設けた長尺状磁石７’は、クッション性の優れたものとすることができるので、被着物に若干の凹凸があっても粘着剤層９’を粘着することができると共に、防音、防振、断熱機能も併せ持たせることができる。
【００１７】
また、上述した粘着剤層は磁石部の内面に全面に設ける以外に、部分的に形成してもよい。図４は粘着剤層の変形例を表わしたものであり、例えば図４（ａ）の側面図及び図４（ｂ）の部分平面図に示すように、磁石部１２の内面に図４（ｂ）中のハッチングで示すような長手方向に平行な複数の帯状の粘着剤層１３ｂ，１３ｂ．．．を形成することができる。
その他、同様のハッチングで示すとおり、図４（ｃ）の平行な複数の傾斜した帯状の粘着剤層１３ｃ，１３ｃ．．．としたり、図４（ｄ）のように円形等の千鳥状の粘着剤層１３ｄ，１３ｄ．．．としたり、図４（ｅ）のように格子状の粘着剤層１３ｅ等、各種に変形して実施することができる。
なお、これらの各部分的な粘着剤層１３ｂ，１３ｃ，１３ｄ，１３ｅは、一定形状が連続的に形成されているので、安定した接着力を得ることができる。その際、図４（ｂ）〜（ｅ）における長尺状磁石の長手方向から垂直に切断した状態で、各粘着剤層１３ｂ，１３ｃ，１３ｄ，１３ｅと非粘着面１３ａとが交互に表れるようにすると、先端部が剥離しやすくなると共に、被着物に対し、より安定した粘着力で取り付けることができる。
また、図４（ｂ）（ｄ）（ｅ）のように長尺状磁石の両端部から少なくとも一端側に非粘着面１３ａが露出するようにすると、長尺状磁石の先端面をめくる作業が更にしやすくなるので好ましい態様となる。勿論、図４（ｃ）においても同様に端面からの非粘着面を形成しても良いことは云うまでもない。
【００１８】
次にカッター台について説明する。
図１及び図５〜図７はカッター台３を示しており、カッター台３は切り刃付き部材４と受け部材５で構成されるが、先ず切り刃付き部材４について図５（ａ）の分解斜視図、図５（ｂ）の斜視図、図５（ｃ）の切り刃の拡大斜視図を用いて説明する。
切り刃付き部材４の本体１４は、合成樹脂製で内面には略中央部に上述した介在用磁石２の巻芯６に挿入する円筒状の筒部１５が立設しており、外周壁１６は内面の高さが介在用磁石２の幅の約半分より若干大きな寸法となっている。
また、筒部１５から後部は介在用磁石２の外径が収納できる大きさになっており、筒部１５から前部は後部に対して約２０ｍｍ程度長く形成され、先端部には介在用磁石２の幅より若干大きな寸法で切り刃収納部１７が突出して形成される。
そして、切り刃収納部１７の後方の側面には長尺状磁石引出し用に指が入る大きさの切り欠き部１８が設けられる。
なお、１９は切り刃であり、材料はステンレス等の金属製で、幅寸法が介在用磁石２の幅より大きく断面が略Ｚ形状になっており、その先端面に略三角形状の突出部を多数連続して設けられる切り刃部１９ａが形成され、ここで介在用磁石２の長尺状磁石７の切断ができるようになっている。
この状態から、切り刃１９を図５（ａ）の矢印に示すように切り刃収納部１７の側方から差し込むと、図５（ｂ）のように切り刃１９が若干弾性変形して、切り刃収納部１７に圧入状態で取り付けられる。なお、この時、切り刃１９の下部後方と切り刃収納部１７間にガイド空間２０が形成される。
【００１９】
図６（ａ）はカッター台３の分解斜視図、図６（ｂ）はカッター台３の組み立て状態の斜視図、図７は図６（ｂ）の拡大中央断面図を表わしたものである。
図６（ａ）に示すように、受け部材５は、本体２１の形状及び外周壁２２の高さが、切り刃付き部材４と対称形状で同等の寸法となっており、内面の略中央には、切り刃付き部材４の筒部１５内に挿入し上部に複数の圧入リブ２３ａ，２３ａ．．．を備えた嵌合筒部２３が形成されている。
また、嵌合筒部２３の前方には、切り刃付き部材４の切り刃収納部１７が嵌合する凹部２４が形成され、凹部２４の後方には、切り刃付き部材４と同形状の長尺状磁石引出し用の切り欠き部２５が設けられる。
なお、凹部２４の側方を覆っている本体２１からは、ガイド突片２６が突出して形成されている。
【００２０】
この状態から、図６（ａ）の矢印で示す方向に切り刃付き部材４及び受け部材５を嵌合させると、図６（ｂ）及び図７に示すように、受け部材５のガイド突片２６が切り刃付き部材４のガイド空間２０に挿入された状態で、受け部材５の嵌合筒部２３が切り刃付き部材４の筒部１５内に複数の圧入リブ２３ａ，２３ａ．．．によって圧入された状態で収納される。
従って、切り刃付き部材４と受け部材５とが位置決めされた状態で取り付けられることになる。また、この状態から逆の方向に引っ張れば、簡単に分離することができるので、切り刃付き部材４及び受け部材５は着脱自在に取り付けできることになる。
【００２１】
カッター台付き介在磁石１として完成させるには、前述した図１の分解斜視図に示すように、カッター台３を切り刃付き部材４及び受け部材５を左右に分解し介在用磁石２を中間に位置させた状態で、先ず切り刃付き部材４の筒部１５を介在用磁石２の巻芯６の中空穴６ａに差し込む。
次いで、前述したカッター台２の組み立てと同様に、切り刃付き部材４の筒部１５の内側へ受け部材５の嵌合筒部２３を圧入させて切り刃付き部材４及び受け部材５を取り付けると、介在用磁石２は回転自在にカッター台３内に収納され、カッター台付き介在磁石１に仕上がる。
この時或いはその後に介在用磁石２の長尺状磁石７の先端部を引き出しておけば、図８（ａ）の斜視図及び、図８（ｂ）の断面図に示すように、カッター台付き介在磁石１を実使用可能な状態とすることができる。
【００２２】
そして、図８（ｂ）の矢印に示すように長尺状磁石７の先端を必要な長さに引き出してカッター台３の切り刃１９に対して押し付けると共に下方に捻ると、希望の長さに切断した磁石片２７を切り出すことができる。
また、次の磁石片を切り出すときには、長尺状磁石７の先端が切り刃１９の位置にあるため、カッター台３の左右前方に形成された切り欠き部１８，２５を使って長尺状磁石７の露出部を指で掴み、切り刃１９に指が当たらないように迂回させて引き出し、前述した内容と同様にして切り出せばよい。以下同様に、希望の長さの磁石片を切り出すことができる。
【００２３】
次に、切り出された磁石片の使用例に付いて説明する。
図９は、鋼板等の強磁性体製の掲示面に、掲示物を取り付ける場合を表わしたものであり、図９（ａ）は分解斜視図、図９（ｂ）は掲示物取り付け状態の斜視図を示す。
この場合は、先ず、図９（ａ）に示すように掲示物Ｐｎの裏面に磁石片２７を、その粘着剤層２７ａを使って粘着させて取り付ける。なお、本実施例においては、磁石片を上下に幅広のものを各１本使用し、左右に幅狭のものを各１本使用しているが、磁石片の長さや数量は掲示物の大きさや重量を勘案し適宜に採択し実施すればよい。
次に、この掲示物Ｐｎを裏返して掲示物Ｐｎの表面が見える状態とし、裏面側を強磁性体製の掲示面Ｗｋに近づけると各磁石片２７，２７．．．が磁気吸着することにより、図９（ｂ）のように掲示物Ｐｎが掲示面Ｗｋに取り付けられる。
【００２４】
また、掲示面が強磁性体製で無い場合には、図１０（ａ）の分解斜視図に示すように、先ず、掲示面Ｗｎに、磁石片２７，２７．．．を掲示物Ｐｋの大きさ内に収まるように粘着剤層２７ａを使って粘着させて取り付ける。
次に、各磁石片２７，２７．．．上に強磁性体製の掲示物Ｐｋを近接すると、掲示物Ｐｋは各磁石片２７，２７．．．を介して掲示面Ｗｎに磁気吸着で取り付けられることになる。
なお、この場合に掲示物自体も非強磁性である場合は、上述した図９で使用した磁石片２７，２７．．．付きの掲示物Ｐｎや、磁石片に代えて鋼板等の強磁性体を取り付けた掲示物に仕上げれば掲示することができる。
【００２５】
本考案は、これまで説明した実施例や変形例に限らず、各種に変形して実施することが可能である。
【００２６】
図１１は、切り刃付き部材を変形した場合を示すものであり、図１１（ａ）は斜視図、図１１（ｂ）は完成状態の断面図を示している。
この変形例における切り刃付き部材４ａは、切り刃を別部材とせず、切り刃部１９ａが一体に形成されており、このような構成とすると部品数の削減及び生産性の向上を図ることができ、生産コストを低減させることもできる。
なお、受け部材や他の詳細な構成については、前述した実施例と同様であり説明は省略するが、この切り刃付き部材４ａを使用して完成させたカッター台付き介在用磁石１ａにおいても、図１１（ｂ）の断面図に示すように、実施例と同様な構成となるので、それと同様な作用を奏することができる。
【００２７】
図１２は、介在用磁石２ａの長尺状磁石７ａを変形させたものであり、図１２（ａ）の斜視図、図１２（ｂ）の長手方向の部分断面図に示されるように、介在用磁石２ａの長尺状磁石７ａには、外面側の長手方向に対して垂直方向に複数の浅い切り込み２８ａ，２８ａ．．．が平行状態に連続して設けられている。
このようにすると、長尺状磁石の切断の作業性を向上させることができる。
【００２８】
なお、この浅い切り込みは、図１３（ａ）の斜視図、図１３（ｂ）の長手方向の部分断面図に示されるように、介在用磁石２ｂの長尺状磁石７ｂの内面側に形成しても良い。この変形例においては、切り込み２８ｂ，２８ｂ．．．が破線上に表わされているが、直線状であっても勿論問題無い。
さらに、図示しないが、長尺状磁石の外面及び内面の両面側から同様な切り込みを設けることも可能であり、この場合はさらに切断の作業性を向上させることができる。
【産業上の利用可能性】
【００２９】
本考案は、各種シート状磁石製品に幅広く応用することができる。
【図面の簡単な説明】
【００３０】
【図１】本考案の分解斜視図を示す。
【図２】本考案における介在用磁石の斜視図を示す。
【図３】本考案における長尺状磁石の端部拡大斜視図を表わし、（ａ）は本実施例、（ｂ）は変形例を示す。
【図４】本考案における粘着剤層の変形例を表わしたものであり、（ａ）は側面図、（ｂ）は長手方向に平行な複数の帯状とした場合の部分平面図、（ｃ）は平行な複数の傾斜した帯状とした場合の部分平面図、（ｄ）は円形の千鳥状とした場合の部分平面図、（ｅ）は格子状とした場合の部分平面図を示す。
【図５】本考案におけるカッター台の切り刃付き部材を表わしたものであり、（ａ）は分解斜視図、（ｂ）は斜視図、（ｃ）は切り刃の拡大斜視図を示す。
【図６】本考案におけるカッター台を表わしたものであり、（ａ）はカッター台の分解斜視図、図６（ｂ）はカッター台の組み立て状態の斜視図を示す。
【図７】図６（ｂ）の拡大中央断面図を示す。
【図８】本考案によるカッター台付き介在用磁石の完成状態を表わし、（ａ）は斜視図、（ｂ）は断面図を示す。
【図９】本考案により得られる磁石片の使用例を表わし、（ａ）は分解斜視図、（ｂ）は掲示物取り付け状態の斜視図を示す。
【図１０】本考案により得られる磁石片の他の使用例を表わし、（ａ）は分解斜視図、（ｂ）は掲示物取り付け状態の斜視図を示す。
【図１１】本考案における切り刃付き部材の変形例を表わし、（ａ）は斜視図、（ｂ）は完成状態とした時の断面図を示す。
【図１２】本考案における長尺状磁石の変形例を表わし、（ａ）は斜視図、（ｂ）は長手方向の部分断面図を示す。
【図１３】本考案における長尺状磁石の他の変形例を表わし、（ａ）は斜視図、（ｂ）は長手方向の部分断面図を示す。
【符号の説明】
【００３１】
Ｗｋ、Ｗｎ  掲示面
Ｐｎ，Ｐｋ  掲示物
１、１ａ  カッター台付き介在用磁石
２、２ａ、２ｂ  介在用磁石
３  カッター台
４、４ａ  切り刃付き部材
５  受け部材
６  巻芯
６ａ  中空穴
７、７’、７ａ、７ｂ  長尺状磁石
８、８’  磁石部
９、９’  粘着剤層
１０、１０’  離型処理層
１１  スポンジ層
１２  磁石部
１３ａ  非粘着面
１３ｂ、１３ｃ、１３ｄ、１３ｅ  粘着剤層
１４  本体
１５  筒部
１６  外周壁
１７  切り刃収納部
１８  切り欠き部
１９  切り刃
１９ａ  切り刃部
２０  ガイド空間
２１  本体
２２  外周壁
２３  嵌合筒部
２３ａ  圧入リブ
２４  凹部
２５  切り欠き部
２６  ガイド突片
２７  磁石片
２７ａ  粘着剤層
２８ａ、２８ｂ  切り込み
【図１】
0003110799.tif 000003
【図２】
0003110799.tif 000004
【図３】
0003110799.tif 000005
【図４】
0003110799.tif 000006
【図５】
0003110799.tif 000007
【図６】
0003110799.tif 000008
【図７】
0003110799.tif 000009
【図８】
0003110799.tif 000010
【図９】
0003110799.tif 000011
【図１０】
0003110799.tif 000012
【図１１】
0003110799.tif 000013
【図１２】
0003110799.tif 000014
【図１３】
0003110799.tif 000015